(57)【要約】      （修正有）【課題】検査から診断への切り替え時間を短縮し、利便性を向上させる情報処理装置、及び情報処理システムを提供する。【解決手段】情報処理装置は、被検査物の検査終了を検知する検査終了検知手段と、前記検査終了検知手段により前記被検査物の検査終了が検知された場合、表示手段において、検査アプリケーションプログラムの検査画面を表示させた状態から、診断アプリケーションプログラムの診断画面を表示させた状態に切り替える。【選択図】図６
2014079507.tif 000002
【特許請求の範囲】
【請求項１】
被検査物の検査終了を検知する検査終了検知手段と、
前記検査終了検知手段により前記被検査物の検査終了が検知された場合、表示手段において、検査アプリケーションプログラムの検査画面を表示させた状態から、診断アプリケーションプログラムの診断画面を表示させた状態に切り替える表示制御手段とを有することを特徴とする情報処理装置。
【請求項２】
前記被検査物の検査において実施される撮像手段による前記被検査物の撮像処理を検知する撮像処理検知手段を更に有し、
前記表示制御手段は、前記撮像処理検知手段により撮像処理が検知された場合、前記表示手段において、前記撮像手段により撮像された画像データを含む前記検査画面を表示させ、前記検査終了検知手段により前記被検査物の検査終了が検知された場合、前記表示手段において、前記画像データを含む前記診断画面を表示させることを特徴とする請求項１に記載の情報処理装置。
【請求項３】
前記被検査物の検査における前記被検査物の撮像処理を実行する撮像手段から撮影の変更に係る情報を取得する取得手段を更に有し、
前記表示制御手段は、前記取得手段により前記撮影の変更に係る情報が取得された場合、前記表示手段において、前記検査画面を表示させ、前記検査終了検知手段により前記被検査物の検査終了が検知された場合、前記表示手段において、前記診断画面を表示させることを特徴とする請求項１又は２に記載の情報処理装置。
【請求項４】
前記被検査物の検査に係る情報が生成されたことを検知する検査情報検知手段を更に有し、
前記表示制御手段は、前記被検査物の検査に係る情報が生成されたことが前記検査情報検知手段により検知された場合、前記表示手段において、前記被検査物の検査に係る情報を含む前記検査画面を表示させ、前記検査終了検知手段により前記被検査物の検査終了が検知された場合、前記表示手段において、前記診断画面を表示させることを特徴とする請求項１乃至３の何れか１項に記載の情報処理装置。
【請求項５】
前記表示制御手段は、前記検査終了検知手段により前記被検査物の検査終了が検知された場合、前記検査画面の最小化表示、前記検査画面の消去、又は、前記診断画面に対応する前記診断アプリケーションプログラムのアクティブ化により、前記表示手段において前記診断画面を表示させることを特徴とする請求項１乃至４の何れか１項に記載の情報処理装置。
【請求項６】
前記表示制御手段は、診断画面記録手段において前記診断画面に係る情報が記録されているか否かを応じて、前記診断アプリケーションプログラムのアクティブ化により前記診断画面を表示させるか、前記検査画面の最小化表示又は消去により前記診断画面を表示させるかを決定することを特徴とする請求項５に記載の情報処理装置。
【請求項７】
前記検査終了検知手段により前記被検査物の検査終了が検知された場合、前記被検査物の検査において撮像手段により撮像された画像データを前記検査アプリケーションにより画像データ記録手段に記録させる画像データ記録制御手段と、
前記画像データ記録手段に前記画像データが記録された場合、前記診断アプリケーションにより前記画像データ記録手段から前記画像データを読み込ませる画像データ読込手段とを更に有し、
前記表示制御手段は、前記画像データ読込手段により読み込まれた前記画像データを含む前記診断画面を前記表示手段において表示させることを特徴とする請求項１乃至６の何れか１項に記載の情報処理装置。
【請求項８】
前記表示制御手段は、前記画像データ記録手段に対する前記画像データの記録処理が実行されている場合、前記画像データ記録手段に対して前記画像データが記録されていることを示す情報を前記表示手段に表示させることを特徴とする請求項７に記載の情報処理装置。
【請求項９】
前記表示制御手段は、前記画像データ記録手段に対して記録される前記画像データの残り枚数を前記表示手段に表示させることを特徴とする請求項８に記載の情報処理装置。
【請求項１０】
前記表示制御手段は、前記画像データの残り枚数に応じて、前記検査画面の透明度を徐々に変化させていくことにより、前記診断画面を徐々に表示させていくことを特徴とする請求項９に記載の情報処理装置。
【請求項１１】
前記表示制御手段は、前記画像データの残り枚数に応じて、前記検査画面の表示サイズを徐々に小さくさせていくことにより、前記診断画面を徐々に表示させていくことを特徴とする請求項９又は１０に記載の情報処理装置。
【請求項１２】
前記検査画面には、前記被検査物の検査において実施される撮像手段による前記被検査物の撮像処理により生成される画像データが表示され、前記診断画面には、前記画像データに対する診断結果及び前記画像データの解析結果のうちの少なくとも何れか一方が表示されることを特徴とする請求項１乃至１１の何れか１項に記載の情報処理装置。
【請求項１３】
前記検査終了検知手段は、前記検査アプリケーション、又は、前記被検査物の検査において前記被検査物の撮像処理を実行する撮像手段からの前記被検査物の検査終了の指示を検知することを特徴とする請求項１乃至１２の何れか１項に記載の情報処理装置。
【請求項１４】
被検査物の検査において実施される前記被検査物の撮像処理を実行する撮像装置と、情報処理装置とを有する情報処理システムであって、
前記被検査物の検査終了を検知する検査終了検知手段と、
前記検査終了検知手段により前記被検査物の検査終了が検知された場合、表示手段において、前記撮像手段により撮像された画像データを含む検査アプリケーションプログラムの検査画面を表示させた状態から、診断アプリケーションプログラムの診断画面を表示させた状態に切り替える表示制御手段とを有することを特徴とする情報処理システム。
【請求項１５】
前記情報処理装置は、
前記撮像装置による前記被検査物の撮像処理を検知する撮像処理検知手段を更に有し、
前記表示制御手段は、前記撮像処理検知手段により撮像処理が検知された場合、前記表示手段において、前記画像データを含む前記検査画面を表示させ、前記検査終了検知手段により前記被検査物の検査終了が検知された場合、前記表示手段において、前記画像データを含む前記診断画面を表示させることを特徴とする請求項１４に記載の情報処理システム。
【請求項１６】
前記検査終了検知手段は、前記検査アプリケーション又は前記撮像装置からの前記被検査物の検査終了の指示を検知することを特徴とする請求項１４又は１５に記載の情報処理システム。
【請求項１７】
情報処理装置によって実行される情報処理方法であって、
被検査物の検査終了を検知する検査終了検知ステップと、
前記検査終了検知ステップにより前記被検査物の検査終了が検知された場合、表示手段において、検査アプリケーションプログラムの検査画面を表示させた状態から、診断アプリケーションプログラムの診断画面を表示させた状態に切り替える表示制御ステップとを有することを特徴とする情報処理方法。
【請求項１８】
前記被検査物の検査において実施される撮像手段による前記被検査物の撮像処理を検知する撮像処理検知ステップを更に有し、
前記表示制御ステップは、前記撮像処理検知ステップにより撮像処理が検知された場合、前記表示手段において、前記撮像手段により撮像された画像データを含む前記検査画面を表示させ、前記検査終了検知ステップにより前記被検査物の検査終了が検知された場合、前記表示手段において、前記画像データを含む前記診断画面を表示させることを特徴とする請求項１７に記載の情報処理方法。
【請求項１９】
前記検査終了検知ステップは、前記検査アプリケーション、又は、前記被検査物の検査において前記被検査物の撮像処理を実行する撮像手段からの前記被検査物の検査終了の指示を検知することを特徴とする請求項１７又は１８に記載の情報処理方法。
【請求項２０】
被検査物の検査終了を検知する検査終了検知ステップと、
前記検査終了検知ステップにより前記被検査物の検査終了が検知された場合、表示手段において、検査アプリケーションプログラムの検査画面を表示させた状態から、診断アプリケーションプログラムの診断画面を表示させた状態に切り替える表示制御ステップとをコンピュータに実行させるためのプログラム。
【請求項２１】
前記被検査物の検査において実施される撮像手段による前記被検査物の撮像処理を検知する撮像処理検知ステップを更に有し、
前記表示制御ステップは、前記撮像処理検知ステップにより撮像処理が検知された場合、前記表示手段において、前記撮像手段により撮像された画像データを含む前記検査画面を表示させ、前記検査終了検知ステップにより前記被検査物の検査終了が検知された場合、前記表示手段において、前記画像データを含む前記診断画面を表示させることを特徴とする請求項２０に記載のプログラム。
【請求項２２】
前記検査終了検知ステップは、前記検査アプリケーション、又は、前記被検査物の検査において前記被検査物の撮像処理を実行する撮像手段からの前記被検査物の検査終了の指示を検知することを特徴とする請求項２０又は２１に記載のプログラム。
【発明の詳細な説明】
【技術分野】
【０００１】
本発明は、検査画面と診断画面とを切り替えて表示させる技術に関するものである。
【背景技術】
【０００２】
従来、検査装置で撮影された画像データがコンピュータやデータベース等に保存され、保存された画像データを診断装置が取得して、ディスプレイ等の表示機器に表示することにより、検査装置で撮影された画像データを診断に使用することが行われている。これらの検査装置や診断装置の機能を実現するために、検査アプリケーションと診断アプリケーションとが同一のコンピュータ上に搭載されることがある。この場合、同一のコンピュータ上において、検査アプリケーションと診断アプリケーションとが操作されることになる。例えば、Ｍｉｃｒｏｓｏｆｔ（登録商標）社製ＯＳであるＷｉｎｄｏｗｓ（登録商標）では、アプリケーションの画面のタイトルを区別し、オペレータがマウス等で操作を行うことにより、各アプリケーションの画面を切り替えることが可能である。
【０００３】
また、近年では、検査装置と診断装置とが異なる製造業者によって製造されている。診断装置を使用する医師間において、診断手順や嗜好等は多様である。このような多様性に柔軟に対応するためには、検査装置と診断装置とを同一製造業者で一体的に製造するより、検査装置の製造業者と診断装置の製造業者とを分けた方が効率的である。
【０００４】
また、検査装置と診断装置とが異なる製造業者によって製造された場合、検査装置と診断装置との接続性を向上させるため、医用画像情報のフォーマットの標準化を図るためのプロトコルを定めた幾つかの規格が提案されている。例えば、ＤＩＣＯＭ（Digital Imaging and Communication for Machine）、ＪＰＥＧ(Joint Photographic Experts Group)がある。その他、ＸＭＬ(Extensible Markup Language)を用いた標準化もある。検査で撮影された画像データを標準化のフォーマットに変換することにより、様々な診断装置で画像データを表示し、診断することが可能となってきている。さらに、ネットワークの普及により、検査室において検査装置により撮影された画像データを送信し、検査室とは別の診断室の診断装置で表示することにより、検査室で撮影された画像データを診断に使用することも可能となっている。
【０００５】
特許文献１には、検査効率を向上させるために、検査が終了すると、次の被検者を登録する画面に自動的に遷移する技術が開示されている。
【先行技術文献】
【特許文献】
【０００６】
【特許文献１】特開２００９−４５２１８号公報
【発明の概要】
【発明が解決しようとする課題】
【０００７】
ところで、検査画面を表示する検査アプリケーションと診断画面を表示する診断アプリケーションとが同一のコンピュータ上に搭載されることがある。このような場合、オペレータは、一つの表示装置上でこれらの画面を操作していた。即ち、検査開始時には、検査画面を表示させるための操作が行われ、検査終了後、診断画面を表示させるための操作が行われていた。そして、診断終了後、次の検査を開始する場合には、オペレータは、再び検査画面を表示させるための操作を行っていた。このように、従来は、検査画面と診断画面とを切り替えて表示させるための操作をオペレータが行う必要があったため、検査から診断への切り替え時間が長くなり、オペレータにとって使い勝手が悪かった。また、特許文献１に開示される技術においては、検査の切り替え時間を短縮させることはできるが、検査から診断への切り替え時間を短縮させることはできない。
【０００８】
そこで、本発明の目的は、検査から診断への切り替え時間を短縮し、利便性を向上させることにある。
【課題を解決するための手段】
【０００９】
本発明の情報処理装置は、被検査物の検査終了を検知する検査終了検知手段と、前記検査終了検知手段により前記被検査物の検査終了が検知された場合、表示手段において、検査アプリケーションプログラムの検査画面を表示させた状態から、診断アプリケーションプログラムの診断画面を表示させた状態に切り替える表示制御手段とを有することを特徴とする。
【発明の効果】
【００１０】
本発明によれば、検査から診断への切り替え時間を短縮することが可能となり、利便性を向上させることができる。
【図面の簡単な説明】
【００１１】
【図１】本発明の第１の実施形態に係る眼科情報処理システムの構成を概略的に示す図である。
【図２】第１の実施形態における眼科情報処理システムの機能的な構成を示す図である。
【図３】撮影情報の一つであるタイマ値を眼科画像データに付与することによって生成された撮影情報ファイルの例を示す図である。
【図４】本発明の実施形態に係る眼科情報処理システムのハードウェア構成を示す図である。
【図５】検査アプリケーションの検査画面と診断アプリケーションの診断画面とを示す図である。
【図６】本発明の第１の実施形態に係る眼科情報処理システムの処理を示すフローチャートである。
【図７】検査アプリケーションから診断アプリケーションに対して眼科画像データを含む画像情報ファイルがエクスポートされる様子を模式的に示す図である。
【図８】エクスポート処理の対象となる残り眼科画像データの枚数を表示した例を示す図である。
【図９】本発明の第２の実施形態における検査アプリケーション実行時の眼科情報処理システムの機能的な構成を示す図である。
【図１０】検査情報の例を示す図である。
【図１１】本発明の第２の実施形態に係る眼科情報処理システムの処理を示すフローチャートである。
【図１２】本発明の第４の実施形態に係る眼科情報処理システムの概略構成を示す図である。
【図１３】検査アプリケーションの検査画面を示す図である。
【図１４】本発明の第４の実施形態に係る眼科情報処理システムの画面の遷移状態を示す図である。
【図１５】複数のＰＣ（コンピュータ）によって眼科情報処理システムを構成した例を示す図である。
【図１６】眼科情報処理システムをリモートデスクトップで構成した場合におけるＰＣ１のディスプレイで表示される画面を示す図である。
【発明を実施するための形態】
【００１２】
以下、本発明を適用した好適な実施形態を、添付図面を参照しながら詳細に説明する。
【００１３】
＜第１の実施形態＞
（撮影時：診断画面より前面に検査画面表示、検査終了時：検査画面最小化→診断画面表示）
先ず、本発明の第１の実施形態について説明する。図１は、本発明の第１の実施形態に係る眼科情報処理システムの構成を概略的に示す図である。図１に示すように、本実施形態に係る眼科情報処理システムは、コンピュータ１０、眼科撮影装置１１、表示装置１２及び操作装置１３を備えており、眼科撮影装置１１、表示装置１２及び操作装置１３は夫々、コンピュータ１０に対して接続されている。また、図１に示すように、コンピュータ１０には、ＯＳ１０１、検査アプリケーションプログラム（以下、検査アプリケーションと略称する）１０２及び診断アプリケーションプログラム（以下、診断アプリケーションと略称する）１０３が搭載されている。眼科撮影装置１１の例としては、眼底カメラ、ＯＣＴ（Optical Coherence Tomography）、ＳＬＯ（Scanning Laser Ophthalmoscope）等が挙げられる。また、表示装置１２の例としては、ＬＣＤ（Liquid Crystal Display）やＣＲＴ（Cathode Ray Tube）等のディスプレイが挙げられる。また、操作装置１３の例としては、キーボード、マウス及びトラックボール等が挙げられる。さらに、表示装置１２と操作装置１３とを一体化させたタッチパネルを採用してもよい。
【００１４】
図２（Ａ）は、第１の実施形態における検査アプリケーション実行時の眼科情報処理システムの機能的な構成を示す図である。図２（Ａ）に示すように、検査アプリケーション実行時における眼科情報処理システムは、操作部２０１、表示部２０２、制御部２０３、画像生成部２０４、ファイル生成部２０５、通信部２０６、記憶部２０７及び撮影部２０８を機能的な構成として備える。なお、図２（Ａ）における操作部２０１は、図１における操作装置１３に相当する。図２（Ａ）における表示部２０２は、図１における表示装置１２に相当する。図２（Ａ）における撮影部２０８は、図１における眼科撮影装置１１に相当する。図２（Ａ）における記憶部２０７は、ＲＡＭ等の記録媒体に相当する。図２（Ａ）におけるその他の構成は、図１のＯＳ１０１上において検査アプリケーション１０２が実行されることにより実現する機能的な構成である。
【００１５】
通信部２０６は、撮影部２０８と通信し、眼科画像データや撮影情報を取得する。撮影情報には、眼科画像データ、撮影部２０８、眼科画像データ撮影時の撮影モード、眼科画像データの撮影日時、撮影された被検査物（ここでは、被検眼）の部位、及び、眼科画像データ撮影時のタイマ値のうちの少なくとも何れか一つが含まれる。また、眼科画像データの例としては、眼底カメラにより撮影された眼底像を示す画像データ、ＯＣＴにより撮影された眼底断層を示す画像データ、及び、ＳＬＯにより撮影された網膜や脈絡膜を示す画像データ等が挙げられる。また、被検眼の部位としては、撮影された被検眼が左右の何れであるかを示す情報や、撮影された被検眼の部位が乳頭であるか黄班であるか等を示す情報が含まれる。なお、本発明において、検査対象となるのは眼に限らず、人や動物の様々な部位を検査対象に含めることができる。
【００１６】
記憶部２０７は、撮影部２０８から取得された眼科画像データや撮影情報と、当該眼科画像データの識別子とを関連付けて記憶し、さらに、当該眼科画像データの識別子と、検査を識別するための識別子とを関連付けて記憶する。画像生成部２０４は、撮影部２０８から取得された眼科画像データを、ＤＩＣＯＭ、Ｂｉｔｍａｐ、ＪＰＥＧ（Joint Photographic Experts Group）等の形式に変換する。そして、画像生成部２０４は、同じく撮影部２０８から取得された撮影情報を眼科画像データに付与（アノテーション）して画像情報ファイルを生成する。なお、眼科画像データに対して撮影情報を付与することによって画像情報ファイルを生成するのではなく、眼科画像データには撮影情報を付与せず、当該眼科画像データを含む画像情報ファイルのファイル名に上記撮影情報を含めるようにしてもよい。ファイル生成部２０５は、例えば、ＸＭＬ（Extensible Markup Language）のフォーマットで画像情報ファイルを生成する。ファイル生成部２０５によって生成された画像情報ファイルは、記憶部２０７に対してエクスポートされた後、診断アプリケーションによってインポートされる。表示部２０２は、検査アプリケーションの画面等を表示する。なお、制御部２０３は、操作部２０１、表示部２０２、画像生成部２０４、ファイル生成部２０５及び通信部２０６の各構成を制御する。
【００１７】
図３は、撮影情報の一つであるタイマ値３０１を眼科画像データに付与することによって生成された撮影情報ファイルの例を示す図である。また、上述したように、眼底画像データに撮影情報を付与せず、当該眼科画像データを含む画像情報ファイルのファイル名に撮影情報を使用するようにしてもよい。例えば、撮影情報ファイルのファイル名を、撮影日付＿撮影時刻＿撮影モード＿左右眼＿画像番号とすること等が挙げられる。
【００１８】
図２（Ｂ）は、第１の実施形態における診断アプリケーション実行時の眼科情報処理システムの機能的な構成を示す図である。図２（Ｂ）に示すように、診断アプリケーション実行時における眼科情報処理システムは、操作部２１１、表示部２１２、制御部２１３、ファイル読込部２１９及び記憶部２１７を機能的な構成として備える。なお、図２（Ｂ）における操作部２１１は、図１における操作装置１３に相当する。図２（Ｂ）における表示部２１２は、図１における表示装置１２に相当する。図２（Ｂ）における記憶部２１７は、ＲＡＭ等の記録媒体に相当する。図２（Ｂ）におけるその他の構成は、図１のＯＳ１０１上において診断アプリケーション１０３が実行されることにより実現する機能的な構成である。
【００１９】
ファイル読込部２１９は、検査アプリケーションによってエクスポートされた画像情報ファイルを図２（Ａ）の記憶部２０７から読み込み、記憶部２１７に記憶する。表示部２１２は、診断アプリケーションの画面等を表示する。なお、操作部２１１及び表示部２１２は夫々、図２（Ａ）における操作部２０１及び表示部２０２と同一構成であるが、説明の便宜上、異なる符合を付している。図２（Ｂ）における記憶部２１７と図２（Ａ）における記憶部２０７とは、例えば、同一記憶媒体内の異なる記憶領域に対応する構成である。制御部２１３は、操作部２１１、表示部２１２、ファイル読込部２１９及び記憶部２１７の各構成を制御する。
【００２０】
図４は、本実施形態に係る眼科情報処理システムのハードウェア構成を示す図である。図４に示すように、本実施形態に係る眼科情報処理システム４００は、一般的なコンピュータを中心に構成される。即ち、眼科情報処理システム４００は、演算処理としてのＣＰＵ４０１、主記憶装置として機能するＲＡＭ４０２、外部記憶装置として機能するＲＯＭ４０３、及び、外部記憶装置としてのＨＤＤ（ハードディスクドライブ）４０４を備える。さらに、眼科情報処理システム４００は、ディスプレイ４０５、キーボード４０６、マウス４０７、通信Ｉ／Ｆ４０８及び眼科撮影装置４０９を備える。ＣＰＵ４０１は、ＨＤＤ４０４に格納されたプログラムをＲＡＭ４０２上に展開することにより、以下に説明する処理を実行する。なお、ＨＤＤ４０４から読み出され、ＲＡＭ４０２上に展開されるプログラムには、検査アプリケーション及び診断アプリケーションが含まれ、同時に実行される。
【００２１】
また、眼科情報処理システム４００は、眼科画像データや撮影情報等を保管するＤＢ（データベース）サーバ４１０とＬＡＮ（Local Area Network）等の通信回線を介して接続されている。例えば、オペレータがキーボード４０６やマウス４０７等を操作して、所望の患者名や患者ＩＤ等の患者識別情報を入力し、所定の操作を行うことにより、当該患者の眼科画像データの閲覧要求が眼科情報処理システム４００に対して入力される。患者の眼科画像データの閲覧要求が入力されると、眼科情報処理システム４００は、当該閲覧要求をＤＢサーバ４１０に対して送信する。ＤＢサーバ４１０は、閲覧要求を受信すると、当該閲覧要求に合致する眼科画像データ及び撮影情報を検索し、眼科情報処理システム４００に対して送信する。眼科情報処理システム４００は、ＤＢサーバ４１０から受信した眼科画像データ及び撮影情報をディスプレイ４０５に表示させる。即ち、図２（Ａ）に示す通信部２０６は、撮影部２０８からだけでなく、ＤＢサーバ４１０からも眼科画像データ及び撮影情報を取得することができる。その他、眼科情報処理システム４００に対して着脱可能な記録媒体（例えば、ＣＤ（Compact Disc））から、眼科画像データ及び撮影情報を取得するようにしてもよい。
【００２２】
なお、図２におけるＣＰＵ４０１、ＲＡＭ４０２、ＲＯＭ４０３、ＨＤＤ４０４及び通信Ｉ／Ｆ４０８は、図１におけるコンピュータ１０に内蔵されている構成である。また、図４におけるディスプレイ４０５は、図１における表示装置１２に対応する構成である。また、図４におけるキーボード４０６及びマウス４０７は、図１における操作装置１３に対応する構成である。また、眼科撮影装置４０９は、図１における眼科撮影装置１１に対応する構成である。
【００２３】
図５は、検査アプリケーションの検査画面と診断アプリケーションの診断画面とを示す図である。即ち、検査アプリケーションがアクティブのときには、図５（Ａ）に示す検査画面が前面に表示され、診断アプリケーションがアクティブのときには、図５（Ｂ）に示す診断画面が前面に表示される。
【００２４】
以下、図６を参照しながら、第１の実施形態に係る眼科情報処理システムの処理について説明する。なお、ステップＳ６０１〜Ｓ６０９は、検査アプリケーションによる処理であり、ステップＳ６１１〜Ｓ６１６は、診断アプリケーションによる処理である。
【００２５】
先ず、ステップＳ６０１〜Ｓ６０９の検査アプリケーションによる処理について説明する。ステップＳ６０１において、検査アプリケーションが起動すると、表示部２０２は検査画面を最小化表示する。例えば、Ｗｉｎｄｏｗｓの場合、タスクバーにのみ検査画面が表示されることにより最小化表示が行われる。なお、後述するが、検査アプリケーションが起動した後、直ちに診断アプリケーションを起動し、診断画面が表示される。従って、ステップＳ６０１の直後は、診断画面が表示された状態となる。
【００２６】
ステップＳ６０２において、通信部２０６は、撮影部２０８と通信可能な状態となり、撮影部２０８において撮影スイッチが操作されるのを待機する。ステップＳ６０３において、通信部２０６は、撮影スイッチが操作されたことを示す撮影イベントを撮影部２０８から受信したか否かを判定する。撮影部２０８は、オペレータにより撮影スイッチが操作されると、検査アプリケーションに対してその旨を示す撮影イベントを送信する。他の実施形態として、撮影部２０８が撮影部位を認識し、眼科画像データを自動で撮影するようにしてもよい。撮影イベントを受信した場合、処理はステップＳ６０４に移行する。一方、撮影イベントを受信していない場合、処理はステップＳ６０２に戻り、通信部２０６は撮影スイッチが操作されるのを待つ。なお、ステップＳ６０３において、撮影部２０８の撮像処理を検知する処理は、撮像処理検知手段の処理例である。
【００２７】
ステップＳ６０４において、表示部２０２は、最小化表示している検査画面を通常表示する。これにより、診断画面より前面に検査画面が表示される。ステップＳ６０５において、通信部２０６は、眼科画像データ及び撮影情報を撮影部２０８から取得する。ステップＳ６０６において、表示部２０２は、撮影部２０８から取得された眼科画像データを検査画面に表示する。なお、撮影イベントの受信ではなく、眼科画像データ等の取得に応じて、診断画面より前面に検査画面を表示させるようにしてもよい。また、表示部２０２は、撮影部２０８から撮影の変更に係る情報を取得することにより、診断画面より前面に検査画面を表示させるようにしてもよい。さらに、撮影イベントの受信及び撮影の変更に係る情報の取得の両方を監視し、何れか一方が発生したことに応じて、検査画面を表示させるようにしてもよい。ここで、撮影の変更に係る情報とは、被検眼の部位の変更、撮影モードの変更、撮影部２０８のタイマの変更、撮影部２０８のフォーカスの変更、患者の変更、撮影部２０８のアライメントの変更、アゴ受け位置の変更、及び、撮影部２０８の撮影光量の変更等が挙げられる。なお、上記の撮影部２０８から撮影の変更に係る情報を取得する処理は、取得手段の処理例である。図５（Ａ）は、検査アプリケーションの検査画面の例を示している。検査アプリケーションがアクティブになっているときは、図５（Ａ）に示すような検査画面が表示される。
【００２８】
ステップＳ６０７において、制御部２０３は、検査が終了したか否かを判定する。検査が終了した場合、処理はステップＳ６０８に移行する。一方、検査が終了していない場合、処理はステップＳ６０２に戻り、次の撮影スイッチの操作を待つ。なお、検査終了の指示は、例えば、図５（Ａ）に示す検査画面上の検査終了ボタン５０１をマウスで押下することで行われる。また、患者が切り替わったことを検知することにより検査を終了させてもよい。一旦、ステップＳ６０７まで処理が進んだ後、ステップＳ６０２からの処理が繰り返される場合、既に検査画面が診断画面より前面に表示されているため、撮影部２０８から新たに取得された眼科画像データが当該検査画面に表示される。なお、ステップＳ６０７は、検査終了検知手段の処理例である。また、本実施形態では、図５（Ａ）に示す検査画面上の検査終了ボタン５０１が押下されることにより、検査アプリケーションから検査終了が指示されるが、眼科撮影装置１１上でユーザが検査終了操作を行うことにより、眼科撮影装置１１から検査終了を指示するようにしてもよい。
【００２９】
ステップＳ６０８において、ファイル生成部２０５は、眼科画像データ及び撮影情報を含む撮影情報ファイルを生成し、記憶部２０７にエクスポートする。ステップＳ６０９において、表示部２０２は、検査画面を最小化表示する。これにより、診断画面が表示されることになる。なお、上記記憶部２０７は、画像データ記録手段の構成例であり、ステップＳ６０８は、画像データ記録制御手段の処理例である。なお、ステップＳ６０９において、検査画面を最小化表示させることにより診断画面を表示させるのではなく、検査画面を消去することにより診断画面を表示させてもよい。
【００３０】
次に、ステップＳ６１１〜Ｓ６１６の診断アプリケーションによる処理について説明する。ステップＳ６１１において、診断アプリケーションが起動すると、表示部２１２は診断画面を表示する。なお、ステップＳ６１１における診断アプリケーションの起動タイミングは、検査アプリケーションの起動直後である。図５（Ｂ）は、診断アプリケーションの診断画面の例を示している。診断アプリケーションがアクティブになっているときは、図５（Ｂ）に示すような診断画面が表示される。ステップＳ６１２において、制御部２１３は、オペレータによる診断画面上での操作に応じて、検査対象患者の登録を行う。
【００３１】
ステップＳ６１３において、制御部２１３は、検査アプリケーションから撮影情報ファイルがインポートされるのを監視する。検査アプリケーションから撮影情報ファイルがインポートされるのを監視する方法としては、検査アプリケーションからエクスポートされた撮影情報ファイルが記憶部２０７内のフォルダに格納されるのを監視することにより行う。他の監視方法としては、当該フォルダ内に格納されるファイルのファイル名を監視するようにしてもよい。
【００３２】
ステップＳ６１４において、制御部２１３は、検査アプリケーションから撮影情報ファイルがインポートされたか否かを判定する。検査アプリケーションから撮影情報ファイルがインポートされた場合、処理はステップＳ６１５に移行する。一方、検査アプリケーションから撮影情報ファイルがインポートされていない場合、処理はステップＳ６１３に戻り、制御部２１３は、撮影情報ファイルのインポートの監視を継続する。
【００３３】
ステップＳ６１５において、ファイル読込部２１９は、検査アプリケーションからインポートされた撮影情報ファイルを記憶部２０７から読み込み、記憶部２１７に記憶させる。表示部２１２は、当該撮影情報ファイルに含まれる眼科画像データを診断画面に表示する。このとき、ファイル読込部２１９によって読み込まれた撮影情報ファイルを記憶部２０７から削除するようにしてもよい。オペレータは、診断画面に表示された眼科画像データに基づいて診断を行い、診断結果を入力する。ステップＳ６１６において、制御部２１３は、診断が終了したか否かを判定する。診断が終了した場合、処理は終了する。一方、診断が終了していない場合、処理はステップＳ６１２に戻り、制御部２１３は、次の検査対象患者の登録を行う。なお、ステップＳ６１５において記憶部２０７から撮影情報ファイルを読み込む処理は、画像データ読込手段の処理例である。また、診断画面においては、検査アプリケーションからインポートされた眼科画像データに基づく医師の診断結果、及び、当該眼科画像データの解析結果のうちの少なくとも何れか一方を表示するようにしてもよい。眼科画像データの解析結果の例としては、ＯＣＴで撮影された眼底断層を示す画像データから各層の厚みを解析し、それを２次元マップで表示するようにすることが挙げられる。
【００３４】
図７は、検査アプリケーションから診断アプリケーションに対して眼科画像データを含む画像情報ファイルがエクスポートされる様子を模式的に示す図である。図７に示すように、撮影された眼科画像データ７０１は、検査アプリケーションの検査画面において表示される。検査が終了すると、眼科画像データを含む画像情報ファイル７０２が診断アプリケーションにエクスポートされる。診断アプリケーションの診断画面では、画像情報ファイル７０２に含まれる眼科画像データ７０１が表示される。
【００３５】
検査アプリケーションによる撮影情報ファイルのエクスポート処理は、バックグラウンドで実行するようにしてもよい。このとき、診断画面が表示されるが、エクスポート処理中の場合、診断アプリケーションは、未だ撮影情報ファイルがエクスポートされたことを検知することができないため、眼科画像データを診断画面に表示させることができない。従って、検査アプリケーションによるエクスポート処理が実行中であるか否かを識別可能な表示を行ってもよい。例えば、図８の８０１に示すように、エクスポート処理の対象となる残り眼科画像データの枚数を表示し、エクスポート処理完了時にその枚数表示を消去してもよい。その他の例としては、エクスポート処理の対象となる残り眼科画像データの枚数に応じて検査画面を徐々に透明度を変化させていき（半透明にさせていき）、エクスポート処理完了時に診断画面が全て表示されるようにしてもよい。また、エクスポート処理の対象となる残りの眼科画像データの枚数に応じて検査画面の表示サイズを徐々に小さくしていき、エクスポート処理完了時に診断画面が全て表示されるようにしてもよい。或いは、エクスポート処理の対象となる残り眼科画像データの枚数の表示、残りの眼科画像データの枚数に応じた検査画面の透明度の変化、及び、残りの眼科画像データの枚数に応じた検査画面の表示サイズの縮小化を組み合わせて同時に使用するようにしてもよい。
【００３６】
＜第２の実施形態＞
（検査情報ファイルインポート時：診断画面より前面に検査画面表示、検査終了時：検査画面最小化→診断画面表示）
次に、本発明の第２の実施形態について説明する。図９（Ａ）は、第２の実施形態における検査アプリケーション実行時の眼科情報処理システムの機能的な構成を示す図である。図９（Ａ）に示すように、第２の実施形態における検査アプリケーション実行時の眼科情報処理システムの構成は、図２（Ａ）に示した、第１の実施形態における検査アプリケーション実行時の眼科情報処理システムの構成に検査情報読込部９０９を追加したものである。なお、第２の実施形態における制御部２０３には、検査情報読込部９０９を制御するための機能が加わるため、第１の実施形態における制御部２０３とは機能が同一ではないが、説明の簡略化のため、これらの符号を同じにしている。
【００３７】
図９（Ｂ）は、第２の実施形態における診断アプリケーション実行時の眼科情報処理システムの機能的な構成を示す図である。図９（Ｂ）に示すように、第２の実施形態における診断アプリケーション実行時の眼科情報処理システムの構成は、図２（Ｂ）に示した、第１の実施形態における診断アプリケーション実行時の眼科情報処理システムの構成に検査情報生成部９２０を追加したものである。なお、第２の実施形態における制御部２１３には、検査情報生成部９２０を制御するための機能が加わるため、第１の実施形態における制御部２１３とは機能が同一ではないが、説明の簡略化のため、これらの符号を同じにしている。
【００３８】
検査情報には、例えば、図１０（Ａ）に示すように、患者ＩＤ、検査ＩＤ、患者名、患者の生年月日、及び、患者の性別が含まれる。その他、撮影部位を示す情報があってもよい。検査情報は、検査情報ファイルとして診断アプリケーションからエクスポートされる。検査情報読込部９０９は、診断アプリケーションからエクスポートされた検査情報ファイルを読み込む。読み込まれた検査情報ファイルは、記憶部２０７において記憶される。なお、ファイル生成部２０５において検査情報ファイルに対してさらに他の検査情報を追加するようにしてもよい。ここで追加される検査情報としては、例えば、撮影された画像データの枚数を示す情報や、検査待機、検査中又は検査終了を示す検査進行状態を示す情報等が挙げられる。
【００３９】
以下、図１１を参照しながら、第２の実施形態に係る眼底情報処理システムの処理について説明する。図１１において、ステップＳ６０１、Ｓ１００１〜Ｓ１００４及びＳ６０２〜Ｓ６０９は、検査アプリケーションによる処理であり、ステップＳ６１１、Ｓ６１２、Ｓ１１１１及びＳ６１３〜Ｓ６１６は、診断アプリケーションによる処理である。なお、図１１におけるステップＳ６０１〜Ｓ６０９は、図６におけるステップＳ６０１〜Ｓ６０９と同様の処理である。また、図１１におけるステップＳ６１１〜Ｓ６１６は、図６におけるステップＳ６１１〜Ｓ６１６と同様の処理である。以下では、第１の実施形態と異なる点を主眼において説明を行う。
【００４０】
先ず、検査アプリケーションによる処理について説明する。検査アプリケーションが起動し、検査画面が最小化表示されると、ステップＳ１１０１において、制御部２０３は、診断アプリケーションから検査情報ファイルがインポートされるのを監視する。ステップＳ１１０２において、制御部２０３は、診断アプリケーションから検査情報ファイルがインポートされたか否かを判定する。検査情報ファイルがインポートされると、処理はステップＳ１１０３に移行する。一方、検査情報ファイルがインポートされていなければ、処理はステップＳ１１０１に戻り、制御部２０３は、再び検査情報ファイルのインポートを監視する。ステップＳ１１０３において、制御部２０３は、検査情報ファイルを読み込むとともに、最小化表示している検査画面を通常表示する。これにより、診断画面より前面に検査画面が表示される。ステップＳ１１０４において、制御部２０３は、検査情報ファイルに含まれる検査情報を検査画面に表示する。以降、第１の実施形態と同様のステップＳ６０２からの処理が実行される。なお、ステップＳ１１０２は、検査情報検知手段の処理例である。第２の実施形態では、検査情報ファイルが検査アプリケーションにインポートされることに応じて、検査画面を表示させているが、これに第１の実施形態の手法を追加してもよい。即ち、検査情報ファイルの検査アプリケーションへのインポート、撮影イベントの受信、及び、撮影の変更に係る情報の取得の全てを監視し、何れか一つが発生したことに応じて、検査画面を表示させるようにしてもよい。
【００４１】
次に、診断アプリケーションによる処理について説明する。第１の実施形態と同様に検査対象患者の登録が行われると、ステップＳ１１１１において、検査情報生成部９２０は、検査情報ファイルを生成し、記憶部２０７にエクスポートする。以降、第１の実施形態と同様のステップＳ６１３からの処理が行われる。
【００４２】
なお、第２の実施形態におけるステップＳ６０８において、制御部２０３は、撮影情報のほかに、検査情報ファイル内の検査情報を撮影情報ファイルに含めて、診断アプリケーションにエクスポートしてもよい。例えば、検査情報が付帯しているＤＩＣＯＭ画像データを含む撮影情報ファイルをエクスポートすること等が挙げられる。また、撮影情報ファイルのファイル名に患者ＩＤ等の検査情報を含めてもよい。また、検査終了時に検査の進行状況を検査情報に追記し、当該検査情報を含む撮影情報ファイルを診断アプリケーションにエクスポートするようにしてもよい。検査の進行状況の検査情報への追記は、撮影情報ファイルのエクスポート完了時に行ってもよい。このとき、診断アプリケーションは、検査アプリケーションから撮影情報ファイルがインポートされることは監視せず、検査アプリケーションから検査情報ファイルがインポートされることを監視する。そして、診断アプリケーションは、検査情報ファイルがインポートされたことを検知した場合、撮影情報ファイルを読み込むようにしてもよい。検査情報ファイルは、撮影情報ファイルが読み込まれた後、削除してもよいし、そのまま残してもよい。
【００４３】
なお、検査を連続で行いたい場合、図１０（Ｂ）に示すように、検査情報ファイルに複数の検査情報を登録しておく。そして、ステップＳ６０７において検査終了が判定された後、登録された複数の検査情報に対応する検査のうち、未実施の検査が存在する場合、未実施の検査に対応する次の検査画面を表示させ、ステップＳ６０２に処理を戻すようにすればよい。ステップＳ６０７において全ての検査が終了したことが判定され、ステップＳ６０８の処理を実行する。このとき、１つの検査が終了する度に撮影情報ファイルをエクスポートしてもよいし、全ての検査が終了した後に、撮影情報ファイルをまとめてエクスポートするようにしてもよい。いずれにしても、検査が終了した後、表示部２０２は、検査画面を最小化して診断画面を表示する。
【００４４】
＜第３の実施形態＞
（撮影時：診断画面より前面に検査画面表示、検査終了時：診断アプリケーションをアクティブ化→診断画面表示）
次に、本発明の第３の実施形態について説明する。第３の実施形態においては、図２（Ａ）に示す構成において、操作部２０１にて診断画面に関する情報の入力操作を行い、制御部２０３は、操作部２０１の操作に応じて入力された診断画面に関する情報を記憶部２０７に記憶する。ここで記憶される診断画面に関する情報には、例えば、当該診断画面の診断アプリケーションの名称や当該診断画面のウィンドウズタイトル等が含まれる。このように診断画面に関する情報を登録しておくことにより、ステップＳ６０９における検査画面の最小化処理の替わりに、診断画面に対応する診断アプリケーションをアクティブにすることにより、診断画面を表示することができる。診断画面に対応する診断アプリケーションをアクティブにするには、例えば、ウィンドウを管理するＯＳに対し、当該診断画面の診断アプリケーションの名称や当該診断画面のウィンドウズタイトルを指定することで実行することができる。また、診断画面に関する情報が登録されているか否かに応じて、検査終了時に、診断画面に対応する診断アプリケーションをアクティブすることにより当該診断画面を表示するか、検査画面を最小化表示又は消去することにより診断画面を表示するかを決定するようにしてもよい。なお、本実施形態における記憶部２０７は、診断画面記録手段の一例であり、当該記憶部２０７に対して診断画面に関する情報を記録させる処理は、診断画面記録制御手段の処理例である。
【００４５】
＜第４の実施形態＞
（複数の検査アプリケーション搭載）
次に、本発明の第４の実施形態について説明する。第１の実施形態は、１つの検査アプリケーションが搭載された例であるのに対し、第４の実施形態では、複数の検査アプリケーションが搭載された例について説明する。
【００４６】
図１２は、本発明の第４の実施形態に係る眼科情報処理システムの概略構成を示す図である。図１２に示すように、本実施形態に係る眼科情報処理システムには、２つの検査アプリケーション１２０２、１２０３が搭載されている。また、本実施形態に係る眼科情報処理システム１２１０は、２台の眼科撮影装置１２１１、１２１５と接続されている。具体的には、眼科撮影装置１２１１が眼底カメラであり、眼科撮影装置１２１５がＯＣＴであることをここでは想定している。この場合、検査アプリケーション（１）１２０２は眼底カメラの検査アプリケーションとなり、検査アプリケーション（２）１２０３はＯＣＴの検査アプリケーションとなる。なお、検査アプリケーション（１）１２０２及び検査アプリケーション（２）１２０３の機能的な構成は、図２に示した構成と同じである。
【００４７】
図１３は、検査アプリケーション（２）１２０３の検査画面を示す図である。検査アプリケーション（２）１２０３がアクティブであるとき、図１３に示す検査画面が前面に表示される。
【００４８】
図１４（Ａ）は、第４の実施形態に係る眼科情報処理システムの画面の遷移状態を示している。眼科撮影装置（１）１２１１を用いた検査が実行されると、図１４（Ａ）の１４０１に示すように、検査アプリケーション（１）１２０２は、眼科撮影装置（１）１２１１によって撮影された眼科画像データを含む検査画面を表示する。眼科撮影装置（１）１２１１を用いた検査が終了すると、検査アプリケーション（１）１２０２は、検査画面を最小化表示する。次に、眼科撮影装置（２）１２１５を用いた検査が実行されると、図１４（Ａ）の１４０２に示すように、検査アプリケーション（２）１２０３は、眼科撮影装置（２）１２１５によって撮影された眼科画像データを含む検査画面を表示する。眼科撮影装置（２）１２１５を用いた検査が終了すると、検査アプリケーション（２）１２０３は、検査画面を最小化表示する。その後、図１４（Ａ）の１４０３に示すように、診断アプリケーション１２０４は、眼科撮影装置（１）１２１１によって撮影された眼科画像データと、眼科撮影装置（２）１２１５によって撮影された眼科画像データとを含む診断画面を表示する。
【００４９】
なお、眼科画像データを撮影した眼科撮影装置を区別するために、当該眼科画像データを含む撮影情報ファイルのファイル名に眼科撮影装置の名称を含めるようにしてもよい。例えば、眼科画像データのファイル名を、Ｆｕｎｄｕｓ＿Ｃｏｌｏｒ＿Ｒ＿２０１１０１０１＿１．ｊｐｇやＯＣＴ＿Ｒ＿２０１１０１０１＿１．ｊｐｇ等とすることが考えられる。
【００５０】
また、図１４（Ｂ）に示すように、眼科撮影装置（１）１２１１を用いた検査と、眼科撮影装置（２）１２１５を用いた検査とを個々に行ってもよい。即ち、眼科撮影装置（１）１２１１を用いた検査が実行されると、図１４（Ｂ）の１４１１に示すように、検査アプリケーション（１）１２０２は、眼科撮影装置（１）１２１１によって撮影された眼科画像データを含む検査画面を表示する。眼科撮影装置（１）１２１１を用いた検査が終了すると、検査アプリケーション（１）１２０２は、検査画面を最小化表示する。その後、図１４（Ｂ）の１４１２に示すように、診断アプリケーション１２０４は、眼科撮影装置（１）１２１１によって撮影された眼科画像データを含む診断画面を表示する。次に、眼科撮影装置（２）１２１５を用いた検査が実行されると、図１４（Ｂ）の１４１３に示すように、検査アプリケーション（２）１２０３は、眼科撮影装置（２）１２１５によって撮影された眼科画像データを含む検査画面を表示する。眼科撮影装置（２）１２１５を用いた検査が終了すると、検査アプリケーション（２）１２０３は、検査画面を最小化表示する。その後、図１４（Ｂ）の１４１４に示すように、診断アプリケーション１２０４は、眼科撮影装置（２）によって撮影された眼科画像データを含む診断画面を表示する。さらに、第３の実施形態のように、検査画面に関する情報を登録することにより、検査アプリケーションにより次に表示させる検査画面を設定するようにしてもよい。
【００５１】
＜第５の実施形態＞
（複数のＰＣで眼科情報処理システムを構成）
次に、本発明の第５の実施形態について説明する。上述した第１〜第４の実施形態は、眼科情報処理システムを１つのＰＣ（コンピュータ）で構成した場合を説明したが、第５の実施形態では、複数のＰＣ（コンピュータ）によって眼科情報処理システムを構成した場合について説明する。なお、第５の実施形態に係る眼科情報処理システムと、上述した第１〜第４の実施形態に係る眼科情報処理システムとの違いは、複数のＰＣ（コンピュータ）で構成されるか、１つのＰＣ（コンピュータ）で構成されるかだけである。従って、第５の実施形態に係る眼科情報処理システムは、第１〜第４の実施形態における検査画面と診断画面との切り替え制御を実行することができる。
【００５２】
図１５（Ａ）は、２台のＰＣによって眼科情報処理システムを構成した例を示している。即ち、図１５（Ａ）の例においては、ＰＣ１とＰＣ２とをＬＡＮ等の通信回線で接続することによって眼科情報処理システムを構成している。ここでは、ＰＣ１において検査アプリケーションを実行し、ＰＣ２において診断アプリケーションを実行する。また、図１５（Ａ）の例では、ＰＣ１のディスプレイにおいて、ＰＣ２で実行される診断アプリケーションの診断画面を仮想的に表示し、操作を可能としたリモートデスクトップとして構成される。
【００５３】
図１６は、図１５（Ａ）に示したように眼科情報処理システムをリモートデスクトップで構成した場合における、ＰＣ１のディスプレイで表示される画面を示す図である。上述したように、検査アプリケーションはＰＣ１で実行されるアプリケーションであり、診断アプリケーションはＰＣ２で実行されるアプリケーションである。ＰＣ１のディスプレイには、診断アプリケーションの診断画面が仮想的に表示される。即ち、検査アプリケーションによる検査時に眼科画像データが撮影されると、図１６（Ａ）に示すように、ＰＣ１のディスプレイには、眼科画像データを含む検査画面が診断画面より前面に表示される。その後、検査が終了すると、図１６（Ｂ）に示すように、検査時に撮影された眼科画像データを含む診断画面が検査画面より前面に表示される。また、検査が終了すると、検査時に撮影された眼科画像データを含む撮影情報ファイルは、検査アプリケーションによってネットワークを経由してＰＣ２にエクスポートされる。なお、図１５（Ｂ）に示すように、４台のＰＣによって眼科情報処理システムを構成してもよい。この場合、ＰＣ１及びＰＣ２において検査アプリケーションを実行し、ＰＣ３において検査時に撮影された眼科画像データ等を管理し、ＰＣ４において診断アプリケーションを実行することが考えられる。
【００５４】
上述した実施形態においては、検査状況に応じて、検査画面と診断画面との表示切り替えを自動的に行うことができる。従って、検査から診断への切り替え時間を短縮させることが可能となり、利便性を向上させることができる。
【００５５】
ちなみに、検査と診断との利便性向上のために、検査アプリケーションと診断アプリケーションとを通信させて制御する方法も考えられる。しかしながら、通信の標準化はないため、検査アプリケーションと診断アプリケーションとの双方の変更が必須となり、コストが高くなってしまう。また、診断アプリケーションから検査アプリケーションを起動させることにより検査画面を表示させ、検査終了時に、診断アプリケーションから検査アプリケーションを終了させて診断画面を表示させる方法も考えられる。但し、診断アプリケーションは、検査終了を検知する必要があるとともに、検査アプリケーションは、診断アプリケーションに対して検査終了を通知する必要がある。そのため、この場合も、検査アプリケーションと診断アプリケーションとの双方の変更が必須となってしまう。
【００５６】
これに対し、上述した実施形態においては、検査アプリケーション側で検査終了を検知し、検査画面を最小化表示したり、登録される診断アプリケーションをアクティブにすることにより、診断画面を表示させるようしている。従って、診断アプリケーションの変更を要せず、検査アプリケーションの変更のみで、利便性を向上させることができる。
【００５７】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５８】
２０１、２１１：操作部、２０２、２１２：表示部、２０３、２１３：制御部、２０４：画像生成部、２０５：ファイル生成部、２０６：通信部、２０７、２１７：記憶部、２０８：撮影部、９０９：検査情報読込部、９２０：検査情報生成部
【図１】
2014079507.tif 000003
【図２】
2014079507.tif 000004
【図３】
2014079507.tif 000005
【図４】
2014079507.tif 000006
【図５】
2014079507.tif 000007
【図６】
2014079507.tif 000008
【図７】
2014079507.tif 000009
【図８】
2014079507.tif 000010
【図９】
2014079507.tif 000011
【図１０】
2014079507.tif 000012
【図１１】
2014079507.tif 000013
【図１２】
2014079507.tif 000014
【図１３】
2014079507.tif 000015
【図１４】
2014079507.tif 000016
【図１５】
2014079507.tif 000017
【図１６】
2014079507.tif 000018